(57)【要約】【課題】  刃部材を容易に交換することができる封筒用開封具を提供する。【解決手段】  ケース本体部４と、ケース本体部４内に移動自在に収納される刃部材６と、ケース本体部４に移動自在に支持される操作部８と、を備え、刃部材６は、ケース本体部４の一側部１４に対して斜め方向に、少なくともその大部分がケース本体部４内に収納される収納位置と、その先端部がケース本体部４の一側部１４より突出される突出位置との間を自在に移動されるように構成されている。刃部材６に関連して設けられた着脱機構は、刃部材６のケース本体部４からの脱着を阻止する脱着阻止状態と、刃部材６のケース本体部４からの脱着の阻止を解除する脱着解除状態とになり、これにより刃部材６を容易に交換することができる。【選択図】  図１
2007112110.tif 000002
【特許請求の範囲】
【請求項１】
ケース本体部と、前記ケース本体部内に移動自在に収納される刃部材と、前記ケース本体部に移動自在に支持される操作部と、を備え、前記操作部を進退動させることにより、前記刃部材は、前記ケース本体部の一側部に対して斜め方向に、少なくともその大部分が前記ケース本体部内に収納される収納位置と、その先端部が前記ケース本体部の前記一側部より突出される突出位置との間を自在に移動されるように構成されており、
また前記刃部材に関連して着脱機構が設けられ、前記着脱機構は、前記刃部材の前記ケース本体部からの脱着を阻止する脱着阻止状態と、前記刃部材の前記ケース本体部からの脱着の阻止を解除する脱着解除状態とになるように構成されていることを特徴とする封筒用開封具。
【請求項２】
前記着脱機構は、前記操作部に設けられた支持軸部と、前記刃部材に設けられた開口部と、から構成され、前記支持軸部の先端部は、前記刃部材の前記開口部に着脱自在に挿入されるように構成されており、
前記着脱機構が前記脱着阻止状態にあるときには、前記支持軸部の前記先端部は前記刃部材の前記開口部に挿入され、また前記着脱機構が前記脱着解除状態にあるときには、前記支持軸部の前記先端部が前記刃部材の前記開口部より離脱されることを特徴とする請求項１に記載の封筒用開封具。
【請求項３】
前記操作部の前記支持軸部の前記先端部にはスリットが設けられており、前記スリットにより、前記支持軸部の前記先端部は拡径状態と縮経状態との間を弾性変形可能に構成され、前記支持軸部の前記先端部は、前記刃部材の前記開口部に挿入されると前記拡径状態から前記縮経状態になることを特徴とする請求項２に記載の封筒用開封具。
【請求項４】
前記ケース本体部には棒ばね部材が設けられており、前記棒ばね部材の一端部は、前記ケース本体部の前記一側部側に係止され、またその他端部は、前記操作部の前記支持軸部をその径方向に貫通して前記ケース本体部の他側部側に係止されていることを特徴とする請求項２又は３に記載の封筒用開封具。
【請求項５】
前記ケース本体部には、前記刃部材を前記収納位置に向けて弾性的に偏倚するための弾性偏倚手段が設けられており、前記弾性偏倚手段は前記棒ばね部材の周囲に配設され、前記弾性偏倚手段の一端部は、前記操作部の前記支持軸部に当接され、またその他端部は、前記棒ばね部材の一端部側に配設されることを特徴とする請求項４に記載の封筒用開封具。
【請求項６】
前記操作部には、前記支持軸部より径方向外方に突出するカム部が設けられ、また前記ケース本体部には、前記刃部材の移動方向と実質上平行に延びる案内用開口が設けられており、前記案内用開口には、前記操作部の前記支持軸部及び前記カム部がそれぞれ移動自在に受け入れられ、また前記支持軸部の前記先端部は、前記案内用開口を通して前記刃部材の前記開口部に着脱自在に挿入され、前記操作部が前記案内用開口の一端部から他端部まで移動すると、前記刃部材は前記収納位置から前記突出位置に移動するように構成されており、
前記支持軸部が前記案内用開口の前記一端部に位置する前記操作部の第１の装着状態においては、前記刃部材が前記突出位置に移動すると前記カム部が前記案内用開口の前記他端部に当接され、これにより前記刃部材の前記ケース本体部からの突出量が小さくなり、また前記カム部が前記案内用開口の前記一端部に位置する前記操作部の第２の装着状態においては、前記刃部材が前記突出位置に移動すると前記支持軸部が前記案内用開口の前記他端部に当接され、これにより前記刃部材の前記ケース本体部からの突出量が大きくなることを特徴とする請求項２又は３に記載の封筒用開封具。
【請求項７】
前記ケース本体部には、前記刃部材を前記収納位置に向けて弾性的に偏倚するための弾性偏倚手段が設けられており、前記弾性偏倚手段の一端部は、前記操作部の前記第１の装着状態においては前記操作部の前記カム部に当接され、また前記操作部の前記第２の装着状態においては前記操作部の前記支持軸部に当接されることを特徴とする請求項６に記載の封筒用開封具。
【請求項８】
前記ケース本体部の前記一側部は略Ｖ字状に構成され、その幅方向両端部から中央部にかけて凹状に傾斜しており、前記刃部材は前記ケース本体部の前記一側部の底部に配設されていることを特徴とする請求項１〜７のいずれかに記載の封筒用開封具。
【請求項９】
前記ケース本体部には、前記刃部材を移動自在に支持するための移動経路が設けられ、前記移動経路は、前記ケース本体部の前記一側部から他側部まで延びており、
前記ケース本体部の前記移動経路の一部には、前記刃部材の前記先端部と前記ケース本体部との接触を防止するためのぬすみ部が設けられていることを特徴とする請求項１〜８のいずれかに記載の封筒用開封具。
【請求項１０】
前記操作部の前記ケース本体部側の外周部にはテーパ部が設けられていることを特徴とする請求項１〜９のいずれかに記載の封筒用開封具。
【請求項１１】
前記操作部には一対のマークが設けられ、また前記ケース本体部には、前記操作部の前記第１の装着状態に対応する第１の表示手段と、前記操作部の前記第２の装着状態に対応する第２の表示手段とが設けられており、
前記操作部の前記第１の装着状態においては、前記一対のマークのうち一方が前記第１の表示手段の近傍に位置付けられ、また前記操作部の前記第２の装着状態においては、前記一対のマークのうち他方が前記第２の表示手段の近傍に位置付けられることを特徴とする請求項６〜１０のいずれかに記載の封筒用開封具。
【発明の詳細な説明】
【技術分野】
【０００１】
本発明は、封筒を開封するための封筒用開封具に関する。
【背景技術】
【０００２】
従来より、例えば手紙、書類又は雑誌などを収納した封筒を開封するには、例えばハサミやペーパナイフなどが用いられる。ハサミを用いて封筒を開封する場合には、封筒の上端部を切断して開封するようになり、またペーパナイフを用いて封筒を開封する場合には、その先端部を封筒の折曲封部の間隙に挿入し、この折曲封部を切断して開封するようになる。しかしながら、上述のようなハサミやペーパナイフなどは、それ自体比較的大きいため携帯性が良いとは言えず、鞄などに入れて持ち運ぶのには好ましくないという問題がある。
【０００３】
そこで近年、容易に持ち運ぶことができる封筒用開封具が提案され、利用に供されている（例えば、特許文献１参照）。この封筒用開封具は、ケース本体部と、ケース本体部内に移動自在に収納される刃部材と、ケース本体部に移動自在に支持される操作部と、を備えている。操作部を進退動させることにより、刃部材は、その大部分がケース本体部内に収納される収納位置と、その先端部がケース本体部の一側部より突出される突出位置との間を自在に移動されるように構成されている。この封筒用開封具を用いて封筒を開封する場合には、刃部材を収納位置から突出位置に移動させて刃部材の先端部を封筒の折曲封部の間隙に挿入し、封筒に対して封筒用開封具を相対的に移動させることにより、この折曲封部が切断され封筒が開封される。
【０００４】
【特許文献１】特開２００４−３４５３３６号公報
【発明の開示】
【発明が解決しようとする課題】
【０００５】
しかしながら、上述したような従来の封筒用開封具では、刃部材をケース本体部から脱着させることができないため、例えば長期間の使用によって刃部材の刃部が劣化するなどした場合には、封筒用開封具自体を新しいものに交換しなけらばならず、利便性が低下してしまうという問題がある。
【０００６】
本発明の目的は、刃部材を容易に交換することができる封筒用開封具を提供することである。
【課題を解決するための手段】
【０００７】
本発明の請求項１に記載の封筒用開封具では、ケース本体部と、前記ケース本体部内に移動自在に収納される刃部材と、前記ケース本体部に移動自在に支持される操作部と、を備え、前記操作部を進退動させることにより、前記刃部材は、前記ケース本体部の一側部に対して斜め方向に、少なくともその大部分が前記ケース本体部内に収納される収納位置と、その先端部が前記ケース本体部の前記一側部より突出される突出位置との間を自在に移動されるように構成されており、
また前記刃部材に関連して着脱機構が設けられ、前記着脱機構は、前記刃部材の前記ケース本体部からの脱着を阻止する脱着阻止状態と、前記刃部材の前記ケース本体部からの脱着の阻止を解除する脱着解除状態とになるように構成されていることを特徴とする。
【０００８】
また、本発明の請求項２に記載の封筒用開封具では、前記着脱機構は、前記操作部に設けられた支持軸部と、前記刃部材に設けられた開口部と、から構成され、前記支持軸部の先端部は、前記刃部材の前記開口部に着脱自在に挿入されるように構成されており、
前記着脱機構が前記脱着阻止状態にあるときには、前記支持軸部の前記先端部は前記刃部材の前記開口部に挿入され、また前記着脱機構が前記脱着解除状態にあるときには、前記支持軸部の前記先端部が前記刃部材の前記開口部より離脱されることを特徴とする。
【０００９】
さらに、本発明の請求項３に記載の封筒用開封具では、前記操作部の前記支持軸部の前記先端部にはスリットが設けられており、前記スリットにより、前記支持軸部の前記先端部は拡径状態と縮経状態との間を弾性変形可能に構成され、前記支持軸部の前記先端部は、前記刃部材の前記開口部に挿入されると前記拡径状態から前記縮経状態になることを特徴とする。
【００１０】
また、本発明の請求項４に記載の封筒用開封具では、前記ケース本体部には棒ばね部材が設けられており、前記棒ばね部材の一端部は、前記ケース本体部の前記一側部側に係止され、またその他端部は、前記操作部の前記支持軸部をその径方向に貫通して前記ケース本体部の他側部側に係止されていることを特徴とする。
【００１１】
さらに、本発明の請求項５に記載の封筒用開封具では、前記ケース本体部には、前記刃部材を前記収納位置に向けて弾性的に偏倚するための弾性偏倚手段が設けられており、前記弾性偏倚手段は前記棒ばね部材の周囲に配設され、前記弾性偏倚手段の一端部は、前記操作部の前記支持軸部に当接され、またその他端部は、前記棒ばね部材の一端部側に配設されることを特徴とする。
【００１２】
また、本発明の請求項６に記載の封筒用開封具では、前記操作部には、前記支持軸部より径方向外方に突出するカム部が設けられ、また前記ケース本体部には、前記刃部材の移動方向と実質上平行に延びる案内用開口が設けられており、前記案内用開口には、前記操作部の前記支持軸部及び前記カム部がそれぞれ移動自在に受け入れられ、また前記支持軸部の前記先端部は、前記案内用開口を通して前記刃部材の前記開口部に着脱自在に挿入され、前記操作部が前記案内用開口の一端部から他端部まで移動すると、前記刃部材は前記収納位置から前記突出位置に移動するように構成されており、
前記支持軸部が前記案内用開口の前記一端部に位置する前記操作部の第１の装着状態においては、前記刃部材が前記突出位置に移動すると前記カム部が前記案内用開口の前記他端部に当接され、これにより前記刃部材の前記ケース本体部からの突出量が小さくなり、また前記カム部が前記案内用開口の前記一端部に位置する前記操作部の第２の装着状態においては、前記刃部材が前記突出位置に移動すると前記支持軸部が前記案内用開口の前記他端部に当接され、これにより前記刃部材の前記ケース本体部からの突出量が大きくなることを特徴とする。
【００１３】
さらに、本発明の請求項７に記載の封筒用開封具では、前記ケース本体部には、前記刃部材を前記収納位置に向けて弾性的に偏倚するための弾性偏倚手段が設けられており、前記弾性偏倚手段の一端部は、前記操作部の前記第１の装着状態においては前記操作部の前記カム部に当接され、また前記操作部の前記第２の装着状態においては前記操作部の前記支持軸部に当接されることを特徴とする。
【００１４】
また、本発明の請求項８に記載の封筒用開封具では、前記ケース本体部の前記一側部は略Ｖ字状に構成され、その幅方向両端部から中央部にかけて凹状に傾斜しており、前記刃部材は前記ケース本体部の前記一側部の底部に配設されていることを特徴とする。
【００１５】
さらに、本発明の請求項９に記載の封筒用開封具では、前記ケース本体部には、前記刃部材を移動自在に支持するための移動経路が設けられ、前記移動経路は、前記ケース本体部の前記一側部から他側部まで延びており、
前記ケース本体部の前記移動経路の一部には、前記刃部材の前記先端部と前記ケース本体部との接触を防止するためのぬすみ部が設けられていることを特徴とする。
【００１６】
また、本発明の請求項１０に記載の封筒用開封具では、前記操作部の前記ケース本体部側の外周部にはテーパ部が設けられていることを特徴とする。
さらに、本発明の請求項１１に記載の封筒用開封具では、前記操作部には一対のマークが設けられ、また前記ケース本体部には、前記操作部の前記第１の装着状態に対応する第１の表示手段と、前記操作部の前記第２の装着状態に対応する第２の表示手段とが設けられており、
前記操作部の前記第１の装着状態においては、前記一対のマークのうち一方が前記第１の表示手段の近傍に位置付けられ、また前記操作部の前記第２の装着状態においては、前記一対のマークのうち他方が前記第２の表示手段の近傍に位置付けられることを特徴とする。
【発明の効果】
【００１７】
本発明の請求項１に記載の封筒用開封具によれば、刃部材に関連して設けられた着脱機構は、刃部材のケース本体部からの脱着を阻止する脱着阻止状態と、刃部材のケース本体部からの脱着の阻止を解除する脱着解除状態とになるように構成されているので、例えば長期間の使用により刃部材の刃部が劣化するなどした場合には、着脱機構を脱着阻止状態から脱着解除状態にすることにより、刃部材をケース本体部から脱着させることができる。したがって、刃部材を容易に交換することができるので、従来のように封筒用開封具自体を新しいものに交換する必要がなく、利便性の高い封筒用開封具を提供することが可能となる。
【００１８】
また、本発明の請求項２に記載の封筒用開封具によれば、着脱機構が脱着阻止状態にあるときには、支持軸部の先端部は刃部材の開口部に挿入され、また着脱機構が脱着解除状態にあるときには、支持軸部の先端部が刃部材の開口部より離脱されるので、支持軸部を刃部材の開口部に挿入又は離脱させるという簡単な操作でもって、刃部材をケース本体部に対して容易に装着又は脱着させることができ、刃部材の交換を容易に行うことが可能となる。
【００１９】
さらに、本発明の請求項３に記載の封筒用開封具によれば、操作部の支持軸部の先端部にはスリットが設けられているので、支持軸部の先端部は、刃部材の開口部に挿入されると弾性変形して拡径状態から縮経状態となり、着脱機構の脱着阻止状態においてその弾性復元力によって支持軸部の先端部を刃部材の開口部に確実に装着保持させることができ、封筒用開封具の使用時や携帯時などに支持軸部の先端部が刃部材の開口部から離脱されるのを防止することが可能となる。
【００２０】
また、本発明の請求項４に記載の封筒用開封具によれば、棒ばね部材の一端部はケース本体部の一側部側に係止され、またその他端部は支持軸部をその径方向に貫通してケース本体部の他側部側に係止されているので、操作部の支持軸部を刃部材の開口部より離脱させると、棒ばね部材が操作部により引っ張られてその両端部を支点として弾性変形され、刃部材は、この弾性変形された棒ばね部材に支持されるようになる。したがって、刃部材を交換する際に、操作部がケース本体部から取り外されるのが阻止され、操作部の支持軸部を刃部材の開口部に対して容易に挿入及び離脱させることができ、刃部材の交換を容易に行うことが可能となる。
【００２１】
さらに、本発明の請求項５に記載の封筒用開封具によれば、ケース本体部には、刃部材を収納位置に向けて弾性的に偏倚するための弾性偏倚手段が設けられているので、封筒用開封具を使用しないときには刃部材は弾性偏倚手段によって収納位置に保持され、封筒用開封具を携帯する際の安全性を確保することができる。また、弾性偏倚手段は棒ばね部材の周囲に配設されているので、操作部の支持軸部を刃部材の開口部より離脱させた際に、操作部及び弾性偏倚手段がケース本体部から取り外されてバラバラになることがなく、刃部材の交換をより容易に行うことが可能となる。
【００２２】
また、本発明の請求項６に記載の封筒用開封具によれば、操作部の第１の装着状態においては、刃部材のケース本体部からの突出量が小さくなり、また操作部の第２の装着状態においては、刃部材のケース本体部からの突出量が大きくなるので、例えば刃部の劣化した刃部材の先端部を折るなどして刃部材の長さが短くなった場合であっても、突出位置における刃部材のケース本体部からの突出量を一定に保持させることが可能となる。
【００２３】
さらに、本発明の請求項７に記載の封筒用開封具によれば、刃部材は弾性偏倚手段により収納位置に向けて弾性的に偏倚されているので、封筒用開封具を使用しない時には刃部材は弾性偏倚手段によって収納位置に保持され、封筒用開封具を携帯する際の安全性を確保することができる。
【００２４】
また、本発明の請求項８に記載の封筒用開封具によれば、ケース本体部の一側部は略Ｖ字状に構成され、刃部材はこのケース本体部の一側部の底部に配設されているので、封筒の開封部はこのケース本体部の一側部の底部に沿って案内され、これにより刃部材の刃部を封筒の開封部に対して確実に且つ安定して作用させることが可能となる。
【００２５】
さらに、本発明の請求項９に記載の封筒用開封具によれば、ケース本体部の移動経路の一部には、刃部材の先端部とケース本体部との接触を防止するためのぬすみ部が設けられているので、刃部材が収納位置と突出位置との間を移動する際に、刃部材の先端部における刃部が摩擦により摩耗して劣化するのを防止することが可能となる。
【００２６】
また、本発明の請求項１０に記載の封筒用開封具によれば、操作部のケース本体部側の外周部にはテーパ部が設けられているので、このテーパ部により操作部の外周部とケース本体部との間には間隙が形成され、この間隙に例えばマイナスドライバの先端部や指の爪などを挿入することにより、操作部の支持軸部の先端部を刃部材の開口部から容易に離脱させることが可能となる。
【００２７】
さらに、本発明の請求項１１に記載の封筒用開封具によれば、操作部には一対のマークが設けられ、またケース本体部には第１及び第２の表示手段が設けられているので、例えば、刃部材が第１の長さ（例えば３枚刃）のときには操作部を第１の装着状態とし、また刃部材が第１の長さよりも短い第２の長さ（例えば２枚刃）のときには操作部を第２の装着状態とした場合において、一対のマークのうち一方が第１の表示手段の近傍に位置付けられたときには刃部材が第１の長さであることを示し、またその他方が第２の表示手段の近傍に位置付けられたときには刃部材が第２の長さであることを示すようになる。したがって、ケース本体部内に収納されている刃部材が第１の長さ又は第２の長さのいずれであるのかを容易に知ることが可能となる。
【発明を実施するための最良の形態】
【００２８】
以下、添付図面を参照して、本発明に従う封筒用開封具の各種実施形態について説明する。
第１の実施形態
まず、図１〜図１４を参照して、第１の実施形態の封筒用開封具について説明する。図１は、本発明の第１の実施形態による封筒用開封具を示す斜視図であり、図２は、刃部材が収納位置にあるときの図１の封筒用開封具の一側面を示す図であり、図３は、刃部材が突出位置にあるときの図１の封筒用開封具の一側面を示す図であり、図４は、図１の封筒用開封具の他側面を示す図であり、図５は、図１の操作部の裏面側を示す斜視図であり、図６は、操作部の第１の装着状態において、刃部材が収納位置にあるときの封筒用開封具の図２中のＡ−Ａ線による断面図であり、図７は、図６の状態より刃部材が突出位置に移動したときの封筒用開封具の断面図であり、図８は、操作部の第２の装着状態において、刃部材が収納位置にあるときの封筒用開封具の図２中のＡ−Ａ線による断面図であり、図９は、図８の状態より刃部材が突出位置に移動したときの封筒用開封具の断面図であり、図１０は、操作部の第１の装着状態において、刃部材が３枚刃のときの支持軸部とカム部との位置関係を示す図であり、図１１は、操作部の第２の装着状態において、刃部材が２枚刃のときの支持軸部とカム部との位置関係を示す図であり、図１２は、図１の封筒用開封具の図６中のＢ−Ｂ線による断面図であり、図１３は、図１の封筒用開封具により封筒を開封する状態を示す斜視図であり、図１４は、図１の封筒用開封具により開封部が完全に塞がれた封筒を開封する方法を説明するための図である。
【００２９】
図１〜図１４を参照して、図示の封筒用開封具２は、ケース本体部４と、ケース本体部４内に移動自在に収納される刃部材６と、ケース本体部４に移動自在に支持される操作部８と、を備えている。以下、封筒用開封具２の各構成要素について詳細に説明する。
【００３０】
ケース本体部４は、相互に組み合わされる台形状の板状の第１部材１０及び第２部材１２から構成され、これら第１部材１０及び第２部材１２は、例えば接着剤や連結用ネジなど（図示せず）により相互に連結される。ケース本体部４の上端部の長さは、その下端部の長さよりも短く構成され、これによりケース本体部４の一側部１４（図２において左側の側部）は、ケース本体部４の上端部から下端部にかけて下り傾斜される。ケース本体部４の具体的な構成については後述する。
【００３１】
刃部材６は、例えば市販されている折る刃タイプのカッタ刃などから構成され、その刃部１６は、刃部材６の一側部にその長手方向に延びて設けられている。刃部材６の基端部（図１２において右側の端部）には、円形状の開口部１８（後述する）が設けられている。刃部材６の長手方向には、複数（本実施形態では３個）の切断用凹部２０ａ〜２０ｃが所定の間隔を置いて設けられており、この切断用凹部２０ａ〜２０ｃに沿って刃部材６を自在に折ることができる。例えば、刃部材６の最も先端部側に設けられた切断用凹部２０ａに沿って刃部材６を折ると、刃部材６は３枚刃（図１０参照）から２枚刃（図１１参照）となり、さらに上記切断用凹部２０ａに隣接する切断用凹部２０ｂに沿って刃部材６を折ると、刃部材６は２枚刃から１枚刃（図示せず）となる。本実施形態では、封筒用開封具２の使用初期状態においては、刃部材６は３枚刃に構成されている。なお、刃部材６の先端部（図１２において左側の端部）の角部は、安全性を高めるために丸くなるように加工することが好ましい。
【００３２】
操作部８は、円盤状の操作本体部２２と、操作本体部２２の裏面側における中央部より裏面側に実質上垂直に延びる支持軸部２４と、支持軸部２４の基端部より径方向外方に突出するカム部２６と、から構成されている（図５参照）。操作本体部２２の表面側における外周部には、円形状の小さな一対のマーク２８ａ，２８ｂが対向して設けられており、またその裏面側（すなわち、ケース本体部４側）における外周部にはテーパ部３０が設けられている。支持軸部２４の先端部にはその軸方向に延びるスリット３２が設けられており、このスリット３２により、支持軸部２４の先端部は拡径状態と縮経状態との間を弾性変形可能に構成されている。支持軸部２４の外径は、刃部材６の開口部１８の外径と実質上同一又はこれよりも僅かに小さく構成され、またカム部２６の長さは、刃部材６の一対の切断用凹部２０ａ，２０ｂ（又は２０ｂ，２０ｃ）の離間距離（すなわち、刃部材６の１枚刃分）と実質上同一に構成されている。
【００３３】
次に、上述した刃部材６及び操作部８をケース本体部４に組み付けた封筒用開封具２について説明する。ケース本体部４の内部（本実施形態では、第１部材１０の内面）には移動経路３４が設けられており、この移動経路３４は、ケース本体部４の一側部１４に対して斜め方向に（すなわち、例えば３０度〜６０度程度の所定角度でもって）、ケース本体部４の一側部１４から他側部３６まで延びている（図１２参照）。この移動経路３４には、刃部１６がケース本体部４の下端部側に配設されるようにして刃部材６が移動自在に支持され、これにより刃部材６は、ケース本体部４の一側部１４に対して斜め方向に、移動経路３４内をこれに沿って自在に移動される。このように刃部材６が移動経路３４に支持された状態において、刃部材６の先端部はケース本体部４の一側部１４側に配設され、またその基端部はケース本体部４の他側部３６側に配設される。
【００３４】
第１部材１０の内面において、移動経路３４の上端部よりも上側部分及びその下端部よりも下側部分には例えばフィルム部材などから構成される薄板３９ａ，３９ｂがそれぞれ設けられており（図１及び図１２参照）、これら薄板３９ａ，３９ｂは第１部材１０と第２部材１２と間に介在されるようになる。これら薄板３９ａ，３９ｂの厚み（肉厚）は、刃部材６の厚みよりも僅かに大きく構成されているので、刃部材６の両側面と第１部材１０及び第２部材１２の各々の内面との間にはそれぞれ僅かな間隙が生じ、これにより移動経路３４内の刃部材６が第１部材１０及び第２部材１２との間に挟着保持されることがなく、刃部材６が移動経路３４内をスムーズに移動することが可能となる。なお、ケース本体部４の一側部１４における移動経路３４の下端部（薄板３９ｂの上端部）にはぬすみ部３８が設けられており（図１２参照）、このぬすみ部３８により、刃部材６の先端部における刃部１６と移動経路３４の下端部（すなわち、ケース本体部４）とが互いに接触するのが防止される。
【００３５】
ケース本体部４の一側部１４は略Ｖ字状に形成され、その幅方向両端部から中央部にかけて凹状に傾斜しており、この一側部１４の底部４０（すなわち、第１部材１０と第２部材１２との間）には刃部材６が配設される。ケース本体部４の一側面４２には、刃部材６の移動方向（図２において左右方向）と実質上平行に延びる横長の案内用開口４４が設けられており、この案内用開口４４の幅は、操作部８の支持軸部２４の外径及びカム部２６の幅よりも僅かに大きく構成されている。操作部８の支持軸部２４及びカム部２６はそれぞれ、この案内用開口４４に移動自在に受け入れられており、支持軸部２４の先端部は、この案内用開口４４を通して刃部材６の開口部１８に着脱自在に挿入される。
【００３６】
本実施形態の封筒用開封具２では、刃部材６に関連して着脱機構４６が設けられている。この着脱機構４６は、上述した操作部８に設けられた支持軸部２４と、刃部材６に設けられた開口部１８と、から構成され、刃部材６のケース本体部４からの脱着を阻止する脱着阻止状態と、刃部材６のケース本体部４からの脱着の阻止を解除する脱着解除状態となるように構成されている。着脱機構４６が脱着阻止状態にあるときには、支持軸部２４の先端部は刃部材６の開口部１８に挿入され、また着脱機構４６が脱着解除状態にあるときには、支持軸部２４の先端部が刃部材６の開口部１８より離脱される。また、着脱機構４６の脱着阻止状態において、操作部８は、支持軸部２４が案内用開口４４の一端部４８（ケース本体部４の他側部３６側に位置される端部）に位置されるときには第１の装着状態となり（図６及び図１０参照）、またカム部２６が案内用開口４４の一端部４８に位置されるときには第２の装着状態となる（図８及び図１１参照）。本実施形態では、封筒用開封具２の使用初期状態においては、操作部８は第１の装着状態でもってケース本体部４に装着されている。
【００３７】
なお、支持軸部２４の先端部に設けられたスリット３２により、支持軸部２４の先端部は、刃部材６の開口部１８に挿入されると弾性変形して拡径状態から縮経状態となり、これにより刃部材６の開口部１８が支持軸部２４の弾性復元力によりその先端部の外側部により内側から外側へ向けて押圧されるようになる。したがって、支持軸部２４の先端部は刃部材６の開口部１８に確実に装着保持されるようになり、封筒用開封具２の使用時や携帯時などにおいて支持軸部２４の先端部が刃部材６の開口部１８から離脱されるのを防止することができる。また、操作本体部２２の裏面側の外周部にはテーパ部３０が設けられているので、操作本体部２２の外周部とケース本体部４の一側面４２との間には間隙（後述する）が形成されるようになる（図６参照）。
【００３８】
また刃部材６に関連して、ケース本体部４には弾性偏倚手段としてのコイルばね５０が設けられており、このコイルばね５０は、ケース本体部４の案内用開口４４の内側に設けられ刃部材６の移動方向と実質上平行に延びる収納用空間５２に伸縮自在に収納されている。コイルばね５０は、収納用空間５２の一端部５４（ケース本体部４の一側部１４側に位置される端部）と操作部８のカム部２６又は支持軸部２４との間に配設されており、コイルばね５０の一端部は、操作部８の第１の装着状態においては操作部８のカム部２６に当接され（図１０参照）、操作部８の第２の装着状態においては操作部８の支持軸部２４に当接され（図１１参照）、またその他端部は、収納用空間５２の一端部５４に当接されている。
【００３９】
ケース本体部４の他側面５６には、円形状の磁石部材５８及び円形状の操作用凹部６０が設けられている（図４参照）。この磁石部材５８の有する磁気吸着力により、例えばスチール製の机や冷蔵庫の扉部などの所望の部位に封筒用開封具２を磁気的に吸着させて保管することができる。また、ケース本体部４の一側面４２の上端部には、例えば、数字の「３」が印字された第１の表示手段としてのシール６４と、数字の「２」が印字された第２の表示手段としてのシール６２とが互いに隣接して貼着されている。シール６４は操作部８の第１の装着状態に対応し、またシール６２は操作部８の第２の装着状態に対応しており、これにより操作部８が第１の装着状態のときには、操作本体部２２に設けられた一方のマーク２８ａはシール６４の下方近傍に位置され（図２参照）、また操作部８が第２の装着状態のときには、他方のマーク２８ｂはシール６２の下方近傍に位置されるようになる。したがって、後述するように、刃部材６が３枚刃のときには操作部８を第１の装着状態とし、また刃部材６が２枚刃のときには操作部８を第２の装着状態とした場合において、一方のマーク２８ａがシール６４の下方近傍に位置付けられたときには刃部材６が３枚刃であることを示し、また他方のマーク２８ｂがシール６２の下方近傍に位置付けられたときには刃部材６が２枚刃であることを示すようになり、これによりケース本体部４内に収納されている刃部材６が３枚刃又は２枚刃のいずれであるのかを容易に知ることができる。
【００４０】
次に、上述のようにして構成した封筒用開封具２の動作について説明する。封筒用開封具２の使用初期状態において、封筒用開封具２を使用しないときには、コイルばね５０の弾性復元力により、操作部８は案内用開口４４の一端部４８に向けて弾性的に偏倚されて、その支持軸部２４が案内用開口４４の一端部４８に当接され、これにより刃部材６は、その大部分がケース本体部４内に収納される収納位置に向けて弾性的に偏倚される（図２及び図６参照）。刃部材６が収納位置に位置されると、刃部材６の先端部は、ケース本体部４の一側部１４より外部に幾分突出されるが、その刃部１６はケース本体部４の一側部１４の底部４０に配設されるので、封筒用開封具２の携帯時などにおいて指などがこの刃部１６に触れることがない。この状態より、コイルばね５０の弾性復元力に抗して、操作部８を案内用開口４４の一端部４８から他端部６６まで図２中の矢印Ｐで示す方向に移動させると、そのカム部２６が案内用開口４４の他端部６６に当接され、これにより刃部材６は、その先端部が例えば２枚刃分だけケース本体部４の一側部１４より突出される突出位置に移動される（図３及び図７参照）。このように操作部８を進退動させることによって、刃部材６は、ケース本体部４の一側部１４に対して斜め方向に、収納位置と突出位置との間を自在に移動されるようになる。
【００４１】
なお、ケース本体部６の一側部１４における移動経路３４にはぬすみ部３８が設けられているので、刃部材６が収納位置と突出位置との間を移動する際に、刃部材６の先端部における刃部１６がケース本体部４に接触することがなく、この刃部１６が摩擦により摩耗して劣化するのを防止することが可能となる。また、例えば右手の人差し指などをケース本体部４の操作用凹部６０に引っ掛けながら、その親指などで操作部８を進退動させることにより、ケース本体部４が人差し指などに対して滑ることがなく、操作部８の操作を安定して且つ容易に行うことが可能となる。
【００４２】
上述した封筒用開封具２による封筒６８の開封は、例えば次のようにして行われる。封筒６８は、例えば手紙、書類又は雑誌などが収納される袋部７０と、この袋部７０の開口部を封するための折曲封部７２とを有しており、折曲封部７２を袋部７０側に折曲して糊や粘着テープなど（図示せず）で貼り付けることにより封をするようになる（図１３参照）。このように封をした封筒６８を開封する際には、上述したようにして操作部８を案内用開口４４の一端部４８から他端部６６まで移動させることにより、刃部材６を収納位置から突出位置に移動させてこの突出位置に保持させ、封筒６８の開封部７４（すなわち、封した際に生じる袋部７０と折曲封部７２との間の隙間）にケース本体部４から突出された刃部材６の先端部を挿入し、封筒６８に対して封筒用開封具２を図１３中の矢印Ｑで示す方向に相対的に移動させる。かく移動させると、刃部材６はケース本体部４の一側部１４に対して斜め方向に突出されるので、刃部材６の先端部における刃部１６が封筒６８の開封部７４に食い込むように作用するようになり、刃部１６の切断作用により封筒６８の開封部７４を切断開封することができる。このとき、封筒６８の開封部７４は、ケース本体部４の略Ｖ字状の一側部１４の底部４０に沿って蛇行することなく直線的に移動されるので、刃部材６の刃部１６を開封部７４に安定して作用させることができる。
【００４３】
なお、封筒６８の開封部７４が糊などにより完全に塞がれている場合には、例えば次のようにして封筒６８を開封することができる。図１４に示すように、封筒６８の開封部７４の例えば一端部７６を少し折り曲げ、この折り曲げた開封部７４の一端部７６を刃部材６により切断する。かく切断すると、開封部７４の一端部７６には切断開口部７８が形成され、刃部材６の先端部をこの切断開口部７８に挿入して上述のように封筒６８に対して封筒用開封具２を相対的に移動させることにより、封筒６８を容易に切断開封することができる。
【００４４】
本実施形態による封筒用開封具２では、刃部材６が３枚刃から２枚刃となった場合であっても、突出位置における刃部材６のケース本体部４からの突出量を次のようにして一定に保持させることができる。例えば長期間の使用により刃部材６の先端部における刃部１６が劣化するなどした場合には、刃部材６を突出位置に保持させておき、例えばペンチなどの工具（図示せず）を用いてその先端部を切断用凹部２０ａに沿って折ることにより刃部材６を３枚刃から２枚刃にさせる。このように刃部材６が３枚刃から２枚刃になると、刃部材６の長さが１枚刃分だけ短くなるので、突出位置における刃部材６のケース本体部４からの突出量が刃部材６の１枚刃分だけ小さくなる。そこで、操作本体部２２の外周部とケース本体部４の一側面４２との間に形成された間隙に例えばマイナスドライバなどの工具の先端部や指の爪（図示せず）などを挿入することにより、操作部８の支持軸部２４の先端部を刃部材６の開口部１８より離脱させ、操作部８をケース本体部４から脱着させる。このように脱着させた操作部８を１８０度回転させて、第２の装着状態となるようにして再びケース本体部４に装着すると、操作部８のカム部２６が案内用開口４４の一端部４８に当接され（図８及び図１１参照）、これにより刃部材６がケース本体部４の一側部１４側にカム部２６の長さ分（すなわち、刃部材６の１枚刃分）だけ移動されるようになる。したがって、２枚刃のときの突出位置における刃部材６のケース本体部４からの突出量は、刃部材６の１枚刃だけ大きくなるので、３枚刃のときの突出量と実質上等しくなる。
【００４５】
以上のように、操作部８の第１の装着状態においては、刃部材６が突出位置に移動されると、操作部８のカム部２６が案内用開口４４の他端部６６に当接されるので（図７参照）、刃部材６の１枚刃分だけ刃部材６のケース本体部４からの突出量が小さくなる。また、操作部８の第２の装着状態においては、刃部材６が突出位置に移動されると、操作部８の支持軸部２４が案内用開口４４の他端部６６に当接されるので（図９参照）、操作部８の第１の装着状態よりも刃部材６の１枚刃分だけ刃部材６のケース本体部４からの突出量が大きくなる。したがって、刃部材６が３枚刃のときには操作部８を第１の装着状態とし、また刃部材６が２枚刃のときには操作部８を第２の装着状態とすることにより、突出位置における刃部材６のケース本体部４からの突出量が一定に保持され、安定した封筒６８の開封部７４の切断開封を行うことが可能となる。
【００４６】
さらに、例えば２枚刃となった刃部材６の先端部における刃部１６が劣化するなどした場合には、次のようにして刃部材６を交換することができる。上述したようにして操作部８の支持軸部２４の先端部を刃部材６の開口部１８から離脱させると、着脱機構４６が脱着阻止状態から脱着解除状態となり、刃部材６をケース本体部４の一側部１４（又は、他側部３６）より外部に引き出すことにより刃部材６がケース本体部４から脱着される。このように古い例えば２枚刃の刃部材６をケース本体部４から脱着した後に、例えば新しい３枚刃の刃部材６をケース本体部４の一側部１４（又は、他側部３６）より移動経路３４へ配設させ、操作部８を例えば第１の装着状態となるようにして再びケース本体部４に装着し、着脱機構４６を再び脱着解除状態から脱着阻止状態にさせる。以上のように、本実施形態による封筒用開封具２では、刃部材６を容易に交換することができるので、従来のように封筒用開封具２自体を新しいものに交換する必要がなく、利便性の高い封筒用開封具２を提供することが可能となる。
【００４７】
なお、本実施形態においては、刃部材６が３枚刃から２枚刃になった際に、操作部８を第１の装着状態から第２の装着状態にするようにしたが、これに限られず、刃部材６が３枚刃のときに操作部８を第１の装着状態から第２の装着状態にするようにしてもよく、この場合には、突出位置における刃部材６のケース本体部４からの突出量がより大きくなる。あるいは、刃部材６が２枚刃（１枚刃）のときに操作部８を第１（第２）の装着状態にさせて使用するようにしてもよい。
【００４８】
また、本実施形態では、操作部８の操作本体部２２に設けた一対のマーク２８ａ，２８ｂをそれぞれ小さい円形状から構成したが、例えばマーク２８ａを数字の「３」が印字されたものとし、またマーク２８ｂを数字の「２」が印字されたものとしてもよく、これらマーク２８ａ，２８ｂの形状や表示方法などは適宜設定してよい。
【００４９】
第２の実施形態
次に、図１５及び図１６を参照して、第２の実施形態の封筒用開封具について説明する。図１５は、本発明の第２の実施形態による刃部材が収納位置にあるときの封筒用開封具の図２中のＡ−Ａ線による断面図であり、図１６は、図１５の状態より刃部材が突出位置に移動したときの封筒用開封具の断面図である。なお、以下の実施形態において、第１の実施形態と実質上同一の構成要素には同一の符号を付し、その説明を省略する。
【００５０】
この第２の実施形態の封筒用開封具２Ａでは、操作部８Ａにおいてカム部が省略されており、そのためケース本体部４Ａに設けられる案内用開口４４Ａの長さは、カム部の長さ分だけ上述した実施形態の場合よりも短く構成され、またコイルばね５０Ａの長さは、上述した実施形態の場合よりも幾分長く構成されている。したがって、刃部材６が収納位置にあるときには支持軸部２４が案内用開口４４Ａの一端部４８Ａに当接され、また刃部材６が突出位置に移動すると支持軸部２４が案内用開口４４Ａの他端部６６Ａに当接されるようになる。本実施形態においても、上述した実施形態と同様に、着脱機構４６によって刃部材６を容易に交換することができるという作用効果が達成される。
【００５１】
第３の実施形態
次に、図１７〜図１９を参照して、第３の実施形態の封筒用開封具について説明する。図１７は、本発明の第３の実施形態による封筒用開封具の一側面を示す図であり、図１８は、刃部材が収納位置にあるときの封筒用開封具の図１７中のＣ−Ｃ線による断面図であり、図１９は、図１８の状態より操作部の支持軸部が刃部材の開口部より離脱されたときの封筒用開封具の断面図である。
【００５２】
この第３の実施形態の封筒用開封具２Ｂでは、上記第２の実施形態と同様に操作部８Ｂにはカム部が設けられておらず、またこの操作部８Ｂの支持軸部２４Ｂには、その径方向（図１７〜図１９において左右方向）に延びる貫通孔８０が設けられている。収納用空間５２Ｂの一端部５４Ｂには、ケース本体部４Ｂの一側部１４Ｂ側に向かって延びる係止凹部８２が設けられ、またその他端部には、ケース本体部４Ｂの他側部３６側に向かって延びる係止凹部８４が設けられている。また、ケース本体部４Ｂの収納用空間５２Ｂには直線状の棒ばね部材８６が収納されており、この棒ばね部材８６は、支持軸部２４Ｂの貫通孔８０に移動自在に挿通され、その他端部にはコイル状に巻回された係止部８８が設けられている。棒ばね部材８６の一端部は係止凹部８２に係止され、またその他端部（係止部８８）は係止凹部８４に係止されている。
【００５３】
棒ばね部材８６の周囲には弾性偏倚手段としてのコイルばね５０が伸縮自在に配設されており、コイルばね５０の一端部は操作部８Ｂの支持軸部２４Ｂに当接され、またその他端部は収納用空間５２Ｂの一端部５４Ｂに当接されている（すなわち、棒ばね部材８６の一端部側に配設されている）。また、ケース本体部４Ｂの一側部１４Ｂの刃部材６に対応する部位には凹状の切欠き部９０が設けられており、刃部材６の先端部の一部がこの切欠き部９０を通して外部に露出されるようになる（図１７参照）。
【００５４】
上述のようにして構成した封筒用開封具２Ｂにおいては、次のようにして刃部材６を交換することができる。操作本体部２２Ｂの外周部の一側部（すなわち、ケース本体部４Ｂの一側部１４Ｂ側の側部）とケース本体部４Ｂの一側面４２との間に形成された間隙に、例えばマイナスドライバなどの工具の先端部（図示せず）や指の爪（図示せず）などを挿入すると、操作部８Ｂの支持軸部２４Ｂの先端部が刃部材６の開口部１８より離脱され、着脱機構４６が脱着阻止状態から脱着解除状態となる。このとき、棒ばね部材８６は、操作部８Ｂにより手前方向（図１８及び図１９において下方向）に引っ張られてその両端部を支点として湾曲状に弾性変形され、操作部８Ｂはこの弾性変形された棒ばね部材８６によって支持されるようになり、これにより操作部８Ｂがケース本体部４Ｂより取り外されるのが阻止される（図１９参照）。なお、棒ばね部材８６が湾曲状に弾性変形された際に、棒ばね部材８６の係止部８８が係止凹部８４に引っ掛かるようになるので、棒ばね部材８６の他端部が係止凹部８４より抜けてしまうことがない。
【００５５】
このように着脱機構４６を脱着解除状態にさせた後に、刃部材６をケース本体部４Ｂの一側部１４Ｂより外部に引き出すことにより刃部材６をケース本体部４Ｂより脱着させる。ここで、ケース本体部４Ｂの一側部１４Ｂには切欠き部９０が設けられているので、この切欠き部９０を通して刃部材６の先端部を例えば指などで容易に掴むことができ、これにより刃部材６をケース本体部４Ｂより容易に外部に引き出すことができる。古い刃部材６をケース本体部４Ｂから脱着した後に、新しい刃部材６をケース本体部４Ｂの一側部１４Ｂ（又は他側部３６）より移動経路３４に配設させ、操作部８Ｂの支持軸部２４Ｂの先端部を刃部材６の開口部１８に再び挿入し、着脱機構４６を再び脱着解除状態から脱着阻止状態にさせる。操作部８Ｂは、棒ばね部材８６により刃部材６に向かって（図１８及び図１９において上方向に）弾性的に偏倚されるので、支持軸部２４Ｂの先端部を刃部材６の開口部１８に容易に挿入することができる。
【００５６】
したがって、本実施形態による封筒用開封具２Ｂでは、着脱機構４６が脱着解除状態となった際に、操作部８Ｂ及びコイルばね５０がケース本体部４Ｂより取り外されてバラバラになることがなく、刃部材６の交換をより容易に行うことが可能となる。
【００５７】
また、刃部材６を収納位置から突出位置に（又は収納位置から突出位置に）移動させる際に、操作部８Ｂを案内用開口４４Ｂの一端部４８Ｂから他端部６６Ｂに（又は他端部６６Ｂから一端部４８Ｂに）移動させると、棒ばね部材８６は操作部８Ｂに対して支持軸部２４Ｂの貫通孔８０内を相対的に移動されるので、棒ばね部材８６が操作部８Ｂの移動の妨げになることがない。
【００５８】
なお、本実施形態では、ケース本体部４Ｂの一側部１４Ｂに切欠き部９０を設けたが、特に、ケース本体部４Ｂの一側部１４Ｂに対する刃部材６の配設角度が比較的大きい（例えば、５０〜６０度程度）場合には、刃部材６の先端部と一側部１４Ｂとが略平行となって、刃部材６の先端部が一側部１４Ｂから外部に露出する量が比較的少なくなり、刃部材６の先端部を例えば指などで掴み難くなるが、上述のように切欠き部９０を設けることにより、この切欠き部９０を通して刃部材６の先端部を例えば指などで容易に掴むことができるようになる。あるいは、この切欠き部９０を省略してもよく、かかる場合において、刃部材６を交換する際には、操作部８Ｂを操作して刃部材６を収納位置から突出位置に向かって移動させ、刃部材６の先端部をケース本体部４Ｂの一側部１４Ｂより突出させる。このように突出された刃部材６の先端部を例えば指などで掴み、この状態で操作本体部２２Ｂの外周部の一側部とケース本体部４Ｂの一側面４２との間に形成された間隙に、上述のように例えばマイナスドライバなどの工具の先端部や指の爪などを挿入すればよい。また、操作本体部２２Ｂの外周部の一側部には、工具の先端部や指の爪などを挿入する際の目印として、例えばシール（図示せず）などを貼付するようにしてもよい。また、本実施形態では、操作部８Ｂの支持軸部２４Ｂの先端部においてスリットを省略したが、上記各実施形態と同様にスリットを設けるようにしてもよい。
【００５９】
以上、本発明に従う封筒用開封具の種々の実施形態について説明したが、本発明はかかる実施形態に限定されるものではなく、本発明の範囲を逸脱することなく種々の変形乃至修正が可能である。
【００６０】
例えば、上記各実施形態においては、封筒６８を開封する際に刃部材６を突出位置に保持させるようにしたが、刃部材６の先端部の刃部１６が封筒６８の開封部７４に作用する位置に保持するようにすればよく、収納位置と開封位置との間の適宜の位置に保持するようにしてもよい。このように適宜の位置に保持して開封することにより、刃部材６の刃部１６の特定部位が開封部７４に常時作用するのを防止し、刃部材６の刃部１６の特定部位の劣化を抑制することができる。
【００６１】
また例えば、上記各実施形態においては、収納位置において刃部材６の大部分がケース本体部４（４Ａ）（４Ｂ）内に収納されるように構成したが、刃部材６の全部がケース本体部４（４Ａ）（４Ｂ）内に収納されるように構成してもよい。
【００６２】
また例えば、上記各実施形態では、刃部材６を３枚刃のものから構成したが、これに限られず、例えば４枚刃でも５枚刃でもよく、用途などに応じてその数は適宜設定することができる。また、上記各実施形態では、刃部材を折る刃タイプのカッタの刃から構成したが、例えば折る刃タイプでないカミソリ刃などから構成するようにしてもよい。
【００６３】
また例えば、上記各実施形態では、ケース本体部４（４Ａ）（４Ｂ）の一側部１４（１４Ｂ）は、その上端部から下端部にかけて下り傾斜されるように構成したが、必ずしもこのように傾斜するようにして構成する必要はなく、刃部材６がケース本体部４（４Ａ）（４Ｂ）の一側部１４（１４Ｂ）に対して斜め方向に移動されるような構成であれば、ケース本体部４（４Ａ）（４Ｂ）は例えば矩形状でも三角形状でもよく、その外形は適宜設定することができる。
【００６４】
また例えば、上記各実施形態では、刃部材６の移動経路３４をケース本体部４（４Ａ）（４Ｂ）の第１部材１０（１０Ａ）（１０Ｂ）の内側面に設けるようにしたが、第２部材１２（１２Ｂ）の内側面に設けるようにしてもよい。
【図面の簡単な説明】
【００６５】
【図１】本発明の第１の実施形態による封筒用開封具を示す斜視図である。
【図２】刃部材が収納位置にあるときの図１の封筒用開封具の一側面を示す図である。
【図３】刃部材が突出位置にあるときの図１の封筒用開封具の一側面を示す図である。
【図４】図１の封筒用開封具の他側面を示す図である。
【図５】図１の操作部の裏面側を示す斜視図である。
【図６】操作部の第１の装着状態において、刃部材が収納位置にあるときの封筒用開封具の図２中のＡ−Ａ線による断面図である。
【図７】図６の状態より刃部材が突出位置に移動したときの封筒用開封具の断面図である。
【図８】操作部の第２の装着状態において、刃部材が収納位置にあるときの封筒用開封具の図２中のＡ−Ａ線による断面図である。
【図９】図８の状態より刃部材が突出位置に移動したときの封筒用開封具の断面図である。
【図１０】操作部の第１の装着状態において、刃部材が３枚刃のときの支持軸部とカム部との位置関係を示す図である。
【図１１】操作部の第２の装着状態において、刃部材が２枚刃のときの支持軸部とカム部との位置関係を示す図である。
【図１２】図１の封筒用開封具の図６中のＢ−Ｂ線による断面図である。
【図１３】図１の封筒用開封具により封筒を開封する状態を示す斜視図である。
【図１４】図１の封筒用開封具により開封部が完全に塞がれた封筒を開封する方法を説明するための図である。
【図１５】本発明の第２の実施形態による刃部材が収納位置にあるときの封筒用開封具の図２中のＡ−Ａ線による断面図である。
【図１６】図１５の状態より刃部材が突出位置に移動したときの封筒用開封具の断面図である。
【図１７】本発明の第３の実施形態による封筒用開封具の一側面を示す図である。
【図１８】刃部材が収納位置にあるときの封筒用開封具の図１７中のＣ−Ｃ線による断面図である。
【図１９】図１８の状態より操作部の支持軸部が刃部材の開口部より離脱されたときの封筒用開封具の断面図である。
【符号の説明】
【００６６】
２，２Ａ，２Ｂ  封筒用開封具
４，４Ａ，４Ｂ  ケース本体部
６  刃部材
８，８Ａ，８Ｂ  操作部
１８  開口部
２４，２４Ｂ  支持軸部
２６  カム部
３０  テーパ部
３２  スリット
３４  移動経路
３８  ぬすみ部
４４，４４Ａ，４４Ｂ  案内用開口
４６  着脱機構
５０  コイルばね
８６  棒ばね部材
【図１】
2007112110.tif 000003
【図２】
2007112110.tif 000004
【図３】
2007112110.tif 000005
【図４】
2007112110.tif 000006
【図５】
2007112110.tif 000007
【図６】
2007112110.tif 000008
【図７】
2007112110.tif 000009
【図８】
2007112110.tif 000010
【図９】
2007112110.tif 000011
【図１０】
2007112110.tif 000012
【図１１】
2007112110.tif 000013
【図１２】
2007112110.tif 000014
【図１３】
2007112110.tif 000015
【図１４】
2007112110.tif 000016
【図１５】
2007112110.tif 000017
【図１６】
2007112110.tif 000018
【図１７】
2007112110.tif 000019
【図１８】
2007112110.tif 000020
【図１９】
2007112110.tif 000021